(57)【要約】【課題】  小さな孔径の挿入孔でも適用することができる後付けアンカー工法に利用する楔形アンカー埋設用工具及び楔形アンカーを開示する。【解決手段】  研磨層または研削刃を設けた先端部を有すると共に、ドリル等の回転工具が装着可能な後端部を有する筒状の本体と、該本体の先端部側に位置して、前記回転工具による穿孔時に前記先端部内部に入り込んで該先端部を拡張可能な拡径部材と、前記本体内にその軸方向にスライド可能に挿入され、本体後端からの押し込み操作により前記先端部内部への入り込みを解除可能に前記拡径部材と直結してなるピン部材とからなる。また、本体の先端部側に位置して、回転工具による穿孔時に先端部内部に入り込んで該先端部を拡張可能な拡径部材とからなる。本体内にスライド可能に挿入され、且つ本体後端からの押し込みによって本体の先端部を楔形に拡張可能なピン部材とからなる。【選択図】        図２
2005188139.tif 000002
【特許請求の範囲】
【請求項１】
研磨層または研削刃を設けた先端部を有すると共に、ドリル等の回転工具が装着可能な後端部を有する筒状の本体と、該本体の先端部側に位置して、前記回転工具による穿孔時に前記先端部内部に入り込んで該先端部を拡張可能な拡径部材と、前記本体内にその軸方向にスライド可能に挿入され、本体後端からの押し込み操作により前記先端部内部への入り込みを解除可能に前記拡径部材と直結してなるピン部材とからなることを特徴とした楔形アンカーの埋設用工具。
【請求項２】
研磨層または研削刃を設けた先端部を有すると共に、ドリル等の回転工具が装着可能な後端部を有する筒状の本体と、該本体の先端部側に位置して、前記回転工具による穿孔時に前記先端部内部に入り込んで該先端部を拡張可能な拡径部材と、前記本体内にその軸方向にスライド可能に挿入され、本体後端からの押し込み操作により前記先端部内部への入り込みを解除可能に前記拡径部材と直結してなるピン部材とからなることを特徴とした楔形アンカー。
【請求項３】
研磨層または研削刃を設けた先端部を有すると共に、ドリル等の回転工具が装着可能な後端部を有する筒状の本体と、該本体の先端部側に位置して、前記回転工具による穿孔時に前記先端部内部に入り込んで該先端部を拡張可能な拡径部材とからなることを特徴としたカット式の楔形アンカー。
【請求項４】
研磨層または研削刃を設けた先端部を有すると共に、ドリル等の回転工具が装着可能な後端部を有する筒状の本体と、該本体内にスライド可能に挿入され、且つ本体後端からの押し込みによって前記本体の先端部を楔形に拡張可能なピン部材とからなることを特徴としたインサート式の楔形アンカー。
【請求項５】
研磨層または研削刃を設けた先端部を有すると共に、ドリル等の回転工具が装着可能な後端部を有する筒状の本体からなり、さらに該本体は前記回転工具による穿孔時に遠心力によって前記先端部が拡張可能であることを特徴とする楔形アンカー。
【請求項６】
請求項２、３または４のうち何れか一項に記載の楔形アンカーに請求項５記載の本体を適用したことを特徴とする楔形アンカー。
【請求項７】
請求項３記載の楔形アンカーを取り付ける際、回転工具とアンカー挿入孔の形成面の間に位置して利用するスペーサであって、外函にバネの付勢力に抗して内函を伸縮可能に挿入してなることを特徴とする楔形アンカーの埋設用工具。
【請求項８】
外函あるいは内函には空気抜けを設けた請求項５記載の楔形アンカーの埋設用工具。
【請求項９】
請求項４記載の楔形アンカーを取り付ける際に利用する連結工具であって、本体後端部に装着可能な角筒部材と、ピン部材を本体に押し込み可能に前記角筒部材にスライド可能に外嵌され、且つ、回転工具と連結されるピン部材の押し込み量調整部材とからなることを特徴とした楔形アンカーの埋設用工具。
【請求項１０】
請求項２、３、４、５、６のうち何れか一項記載の楔形アンカーにおいて、２穴以上のアンカーを構成したことを特徴とする楔形アンカー。
【発明の詳細な説明】
【技術分野】
【０００１】
この発明は、先端部において本体が側方に拡張することにより、壁面等に設けられた挿入孔に対する摩擦的圧迫力により固定される楔形アンカーの埋設用工具に係り、前記挿入孔内部に楔形拡径孔を形成することができる新規な工具と、該工具を兼用する楔形アンカーに関するものである。
【背景技術】
【０００２】
アンカーは例えば建築物の躯体壁面に取り付けられ、仮設足場の繋ぎとして利用される。その取付方法としては、躯体構築時にコンクリート打設前に埋め込む方法（先付け工法）や、溶接等により固定する方法がある。これら取付方法はアンカーを強固に固定できる反面、施工条件に制約があり、また工事終了後の撤去も容易ではない。そのため、これら方法に代わるものとして、躯体構築後、後付けでアンカーを取り付ける方法が存在する。
【０００３】
当該後付けアンカー工法は、躯体等壁面にドリルでアンカーの挿入孔を設け、該挿入孔にカットアンカーやインサートアンカーなどをハンマーで打ち込む態様である。そして、打ち込まれたアンカーはその先端が挿入孔内部で拡張し、その摩擦的圧迫力によって一定の引張力（引き抜きに抗する力）を発生している。
【発明の開示】
【発明が解決しようとする課題】
【０００４】
しかしながら、上記打ち込みによる後付けアンカー工法では、アンカーの先端拡張によって、その部分の挿入孔までもが変形している訳ではなく、単にアンカー先端と挿入孔内壁との摩擦的圧迫力のみによってアンカーの固定力（引張力）を得ているに過ぎない。つまり、この工法では一のアンカーによって得られる引張力に限界があり、例えば仮設足場の繋ぎとして利用する場合は単位面積当たりの打ち込み本数を多くする必要がある。このことは、施工性の悪化を意味し、また工事終了後におけるアンカーの撤去効率やアンカー跡の補修率の悪化にも直結する。
【０００５】
もちろん、引張力はアンカー径によって向上するから、太いアンカーを使用することによって上記課題をある程度解消することができるが、とすれば、アンカーの挿入孔も大きくせざるを得ず、コーキング材（仕上げ材）による補修跡が目立つといった別の課題が発生することになる。
【０００６】
本発明は上述した課題を解決するためになされたものであり、その目的とするところは、先付けアンカー工法と同様の引張力を得ることができ、しかも小さな孔径の挿入孔でも適用することができる後付けアンカー工法、即ち、当該後付けアンカー工法に利用する楔形アンカー埋設用工具及び楔形アンカーを開示することである。
【課題を解決するための手段】
【０００７】
上述した目的を達成するために本発明では、楔形アンカー埋設用工具を研磨層または研削刃を設けた先端部を有すると共に、ドリル等の回転工具が装着可能な後端部を有する筒状の本体と、該本体の先端部側に位置して、前記回転工具による穿孔時に前記先端部内部に入り込んで該先端部を拡張可能な拡径部材と、前記本体内にその軸方向にスライド可能に挿入され、本体後端からの押し込み操作により前記先端部内部への入り込みを解除可能に前記拡径部材と直結してなるピン部材とから構成した。該埋設用工具は、予めドリルなどで穿孔したアンカー挿入孔に楔形の後付けアンカーを打ち込む前に、前記アンカー挿入孔の奥側に楔型の拡径孔を形成するためのもので、拡径部材を本体先端から露出した状態では、アンカー挿入孔への挿入及び抜き出し可能な径を維持する一方、回転工具による穿孔時に本体が前記アンカー挿入孔の奥側に移動することと連動して拡径部材が本体先端部の内部に入り込んで該先端部を楔形に拡張させる。そして、該拡張状態のまま本工具をドリル等の回転工具で回転させることによって、先端部に設けたダイヤモンド粒子などからなる研磨層または研削刃によりアンカー挿入孔の奥側に楔形の拡径孔を形成する作用を行う。該形成後は、ピン部材を上記とは逆の方向に操作、即ち後端から本体内に押し込むことによって、拡径部材が本体先端から露出して先端部拡張が解除されるから、本工具をアンカー挿入孔から抜き出すことができる。また、本体先端にスリットを設けることで、先端部の拡張が確実に行える。
【０００８】
そして、本工具により形成された拡径孔（アンカー挿入孔）に対しては、従来公知の打ち込み式楔形アンカーを適用することができるのであるが、楔形アンカーを打ち込むことによって、その先端部と前記拡径孔の形状が一致するから、強い引張力を得ることができる。また、本発明ではアンカー挿入孔の奥側にアンカーの楔と同一形状の拡径孔を形成することによって、両者を係合させることにより、アンカーの引張力を得るものであるから、アンカー挿入孔の孔径は小さくて済み、事後的な補修も目立たず、容易に行うことができる。
【０００９】
なお、本工具はアンカー挿入孔への拡径孔形成後、ピン部材を押し込まず、本体の先端部を拡張した状態として使用すれば、そのままアンカーとして利用することができる。また、ピン部材を押し込むだけで、先端部拡張が解除されるから、撤去も容易である。
【００１０】
これに対して、拡径孔の形成を同時に行う楔形アンカーとして本発明では、研磨層または研削刃を設けた先端部を有すると共に、ドリル等の回転工具が装着可能な後端部を有する筒状の本体と、該本体の先端部側に位置して、前記回転工具による穿孔時に前記先端部内部に入り込んで該先端部を拡張可能な拡径部材とによって構成するという手段を用いた。その基本的構成は、従来公知のカットアンカーを踏襲し、本体先端部に研磨層または研削刃を設けることで本発明アンカーを構成することができる。この本発明アンカーによれば、通常は拡径部材が本体先端から突出しており、この状態でアンカー挿入孔へ挿入することができる。該挿入後、本体の後端部に回転工具を装着し、回転力を付与すると共に、押し込み力を付与することによって、拡径部材が本体先端部に入り込んで該先端部を楔形に拡張し、拡張した先端部はその研磨層または研削刃によってアンカー挿入孔の奥側に拡張先端部と形状が合致する拡径孔を形成し、当該合致をもって強い引張力を持つアンカーとすることができる。
【００１１】
なお、このカット式の本発明アンカーでは、本体を押し込みながらその先端部を拡張させると共に、回転工具の回転力によって、アンカー挿入孔の奥側に拡径孔を形成するものであるが、押し込み量が多いと、無駄に拡径孔が深くなり、また、本体を繋ぎとして利用する場合に、アンカー挿入孔から必要長を確保できないという不都合が生じる。このような過度な押し込みを回避するために、本発明ではスペーサを用いるという手段を選択的に用いる。つまり、このスペーサは、上記カット式の本発明アンカーをアンカー挿入孔に埋め込むときに用いる埋設用工具として機能するもので、回転工具とアンカー挿入孔の形成面（壁面や天井等）の間に位置して、外函にバネの付勢力に抗して内函を伸縮可能に挿入してなる。該埋設用工具（スペーサ）によれば、バネの縮量を限界として回転工具を介して行われる本体の過度な押し込みが回避される。また、このスペーサでは、外函あるいは内函には空気抜けを設けておくことが好ましい。両者が密閉された状態では、内函の伸縮を円滑に行うことができないからであり、また空気抜けの開度を調整することによって、バネを補助するエアサスペンションとして機能させることも可能だからである。
【００１２】
さらに、拡径孔の形成を兼ねた楔形アンカーの別構成として本発明では、研磨層または研削刃を設けた先端部を有すると共に、ドリル等の回転工具が装着可能な後端部を有する筒状の本体と、該本体内にスライド可能に挿入され、且つ本体後端からの押し込みによって前記本体の先端部を楔形に拡張可能なピン部材とから構成するという手段も用いる。その基本的構成は、従来公知のインサートアンカーを踏襲し、本体先端部に研磨層または研削刃を設けることで本発明アンカーを構成することができる。この本発明アンカーによれば、通常はピン部材が本体後端から突出しており、この状態でアンカー挿入孔へ挿入することができる。該挿入後、本体の後端部に回転工具を装着し、回転力を付与すると共に、ピン部材を本体内に押し込むことによって本体先端部が楔形に拡張し、拡張した先端部はその研磨層または研削刃によってアンカー挿入孔の奥側に拡張先端部と形状が合致する拡径孔を形成する、そして、当該合致をもって強い引張力を持つアンカーとすることができるのは、上述したアンカーと同様である。
【００１３】
なお、このインサート式の本発明アンカーは、回転工具の回転力の伝達により本体先端部を回転させ、該先端部に設けた研磨層または研削刃によってアンカー挿入孔の奥側に拡径孔を形成する点では上記カット式の本発明アンカーと同じであるものの、本体先端側の拡径部材が省略される代わり、ピン部材の押し込みによって本体先端部を拡張させる点で上記カット式の本発明アンカーと相違する。このため、このインサート式の本発明アンカーにあっては、本体後端部に装着可能な角筒部材と、ピン部材を本体に押し込み可能に前記角筒部材にスライド可能に外嵌され、且つ、回転工具と連結されるピン部材の押し込み量調整部材とから楔形アンカー埋設用工具を構成するという手段を用いた。この手段において、インサート式の本発明アンカーは角筒部材および押し込み量調整部材を介して回転工具の回転力が伝達され、本体を回転させる。また、押し込み量調整部材は、上記回転力の伝達機能の他、角筒部材に対するスライド位置によってピン部材の本体に対する押し込み量を調整する機能を兼用するもので、回転工具の押し込み操作と連動して本体先端部の拡張調整機能を担うものである。つまり、最終的には回転工具のアンカー挿入孔の形成面に対する押し付け量によって押し込み量調整部材を介してピン部材の押し込み量、即ち本体先端部の拡張度が決定され、引くことで過度な先端部拡張が回避され、過負荷による回転工具の回転が停止するという不都合も回避される。
【００１４】
また、このインサート式の本発明アンカーは、工事終了後、ピン部材を本体から完全に引き抜くことで、前記先端部の拡張が解除され、本体をアンカー挿入孔から引き抜く又はアンカー挿入孔を深く設定している場合は、該アンカー挿入孔に埋設することができるが、この際、ピン部材を引き抜く構成としては、ピン部材と係合しつつ、本体後端部と螺合する構成の撤去工具を採用することができる。ここで本体との連結構造として螺合する態様を採用しているので、本発明の撤去工具は汎用のレンチやスパナによってピン部材の引き抜き方向に簡単に操作することができる。
【００１５】
さらに、このインサート式の本発明アンカーは、ピン部材の引き抜きによって撤去可能であるから、根本を折損して壁面等に埋設したまま使い捨てとなる上記カット式の本発明アンカーとは違い、拡径孔の形成専用の工具としても利用することができる。
【００１６】
なお、ここに説明した本発明アンカーは、上記何れかの構成において、２穴以上のアンカーとして構成することも可能である。
【００１７】
さらに、上述したアンカーでは、本体の先端部拡張を拡径部材によって行うこととしたが、研磨層または研削刃を設けた先端部を有すると共に、ドリル等の回転工具が装着可能な後端部を有する筒状の本体からなり、さらに該本体は前記回転工具による穿孔時に遠心力によって前記先端部が拡張可能とする手段によっても、本発明の目的を達成することができる。もちろん、この手段を拡径部材を備えた上記アンカーに併用することも可能である。
【発明の効果】
【００１８】
上述した本発明のうち、楔形アンカーに関するものについては、それぞれ本体先端部に研磨層または研削刃を設け、該先端部を拡張した状態でアンカー挿入孔の奥側に拡張先端部と形状が合致する拡径孔を形成することができるため、小口径であっても、また挿入長が短い場合であっても、単なる摩擦的圧迫力によって固定される従来の楔形アンカーと比べて、強い引張力を得ることができる。また、従来なかった拡径孔形成の専用工具としても利用できるという特有の効果を奏する。さらに、小口径の拡径孔が形成可能なため、今までアンカーを打ち込むことができなかったタイル壁の目地などの小さなスペースにも適用することができる。
【００１９】
また、拡径孔の径は研磨層の厚みや研削刃の刃長により決定でき、これらが完全に消耗するまで拡径孔形成の専用工具またはアンカーとして再利用できると共に、最終的には使い捨てのアンカーとして利用することもできる。
【００２０】
さらに、カット式楔形アンカーの埋設用工具として、回転工具とアンカー挿入孔の形成面の間に位置して利用するスペーサにあっては、外函にバネの付勢力に抗して内函を伸縮可能に挿入してなるため、拡径孔の形成深度を常に適正なものとすることができる。また、外函あるいは内函には空気抜けを設けておくことで、内函の伸縮を円滑に行うことができ、また空気抜けの開度を調整することによって、バネを補助するエアサスペンションとして機能させることも可能である。
【００２１】
一方、インサート式楔形アンカーの埋設用工具として、本体後端部に装着可能な角筒部材と、ピン部材を本体に押し込み可能に前記角筒部材にスライド可能に外嵌され、且つ、回転工具と連結されるピン部材の押し込み量調整部材とからなるものにあっては、回転工具のアンカー挿入孔の形成面に対する押し付け量によって押し込み量調整部材を介してピン部材の押し込み量、即ち本体先端部の拡張度が決定され、引くことで過度な先端部拡張による過負荷発生によって回転工具が不用意に回転停止することもない。
【発明を実施するための最良の形態】
【００２２】
以下、本発明の好ましい実施の形態を添付した図面に従って説明する。図１は本発明の楔形アンカーの埋設用工具の一例を示したもので、特にアンカー挿入孔の奥側に楔形の拡径孔を形成する場合に用いる工具を示したものである。図中、１はアンカー挿入孔に挿入可能な径からなる筒状の本体、２は本体１にスライド可能に挿入したピン部材、３はピン部材２の先端に連結され、常態で本体１の先端から突出した略菱形の拡径部材である。この構成において、本体１の先端部には軸方向にスリット１ａが設けられ、本工具による穿孔時に拡径部材３は本体先端部に押し込まれ、該先端部を拡張可能に構成している。また本体１の先端部の外周にはダイヤモンド粒子などかなる研削層１ｂが形成されている。ただし、研磨層１ｂは研削刃によって構成してもよい。この本体先端部に必要なことは、拡径部材３の入り込みにより先端部を拡張し、且つ、アンカーを適用する壁面等の素材に合わせて、アンカー挿入孔の奥側に研磨等により拡径孔を形成する構成を採用することである、さらに、本体１の後端部にはドリル等の回転工具との連結時に使用する雄ネジ１ｃが形成されている。また、ピン部材２の後端にはストッパ２ａが設けられている。
【００２３】
図２は、上記構成の工具による施工手順を示したもので、先ず壁面等にドリル等によって形成したアンカー挿入孔Ｈに、拡径部材３を先端から突出した状態で本工具を挿入し、その後端部の雄ネジ１ｃを利用して本体１にドリル等の回転工具Ｔを連結する（同図（ａ）参照）。なお、このときスペーサジョイントＪを介在させるなどして、本体１の後端と回転工具Ｔとの間にピン部材２の突出を許容するスペースを設けておく。次に、回転工具Ｔを回転駆動させながらこれを押し込めば、拡径部材３がアンカー挿入孔Ｈの奥端からの反発力を受けて本体１の先端部に徐々に入り込み、図示の通り、本体１の先端がアンカー挿入孔Ｈの奥端に到達する位置まで押し込めば、本体１の先端部は拡張し、また、同時に回転する研磨層１ｂによってその径に見合った拡径孔Ｈ２が形成される（同図（ｂ）参照）。そして、回転工具Ｔを外し、本工具を抜き方向に引き（同図（ｃ）参照）、続いて、ピン部材２を押し込めば、拡張部材３が本体１の先端に再度突出し、本体１の先端部の拡張が解除される（同図（ｄ）参照）。この状態で本工具をアンカー挿入孔Ｈから抜くことができるから、打ち込み式の楔形アンカーＡをアンカー挿入孔Ｈに挿入し（同図（ｅ）参照）、該アンカーＡを打ち込んでその先端を拡張させ（同図（ｆ）参照）、この状態でアンカーＡを引けば、アンカーＡの楔形先端形状と上記拡径孔Ｈ２の形状が一致した状態となり、本体１の後端部雄ネジ１ｃにアンカーナットＮを取り付けることで、アンカーの取付けが終了する（同図（ｇ）参照）。
【００２４】
なお、ここでは本工具を拡径孔Ｈ２の形成専用として説明したが、図２（ｃ）の状態で施工を終了すれば、本工具をアンカーとして利用することも可能である。
【００２５】
次に図３は、本発明に係るカット式の楔形アンカーの一形態と、その施工手順を示したもので、本アンカーは外周に研磨層１０等を設けた先端部１１を有すると共に、ドリル等の回転工具Ｔが装着可能な後端部１２を有する筒状の本体１３と、該本体１３の押し込みにより前記先端部１１内部に入り込んで該先端部１１を楔形に拡張可能な略菱形の拡径部材１４とからなる（同図（ａ）参照）。そして、その施工手順は、先ずアンカー挿入孔Ｈに拡径部材１４を本体１３の先端から突出した状態で本アンカーを挿入し（同図（ｂ）参照）、次いで、回転工具ＴにスペーサＳを介在した状態で本アンカーを取り付ける。
【００２６】
スペーサＳは、図４に示したように、外函１５にバネ１６の付勢力に抗して内函１７を伸縮可能に挿入してなり、本アンカーに対する押し込み量を一定に保持する機能を発揮する。また、このスペーサＳにおいて、内函１７には空気抜け１８が形成され、押し込み時にその開度を調整することによって、バネ１６の弾発力を補助するエアサスペンションとして機能し、一方、全開とすることで、バネ１６の弾発力のみよってスペーサＳを元の状態に復元する機能を発揮する。そして、該スペーサＳによる適正な押し込み量を維持しながら、回転工具Ｔを回転駆動しつつ壁面等側へと押し込めば、拡径部材１４が本体１３の先端部１１に入り込んで該先端部１１を拡張し、この状態で回転する先端部１１の研磨層１０等によって、アンカー挿入孔Ｈの奥側に前記拡張した先端部１１と形状が一致する拡径孔Ｈ２を形成することができる（図３（ｄ）参照）。
【００２７】
なお、このアンカーを撤去するときは、本体１３の先端部１１が拡張した状態で引くことで、アンカー挿入孔Ｈの奥端にスペースが生じ、この状態で本体１３の根本を切断した後、アンカーを上記スペースに打ち込む。さらにその後、コーキング等の仕上げ処理を行うことはもちろんである。なお、ここでは切断による撤去要領を説明したが、本体１３を前後二分割とし、これらをネジ等による螺合構造とすることも可能である。
【００２８】
続いて図５は、本発明に係るインサート式の楔形アンカーの一形態を示したもので、本アンカーは、研磨層２０等を設けた先端部２１を有すると共に、ドリル等の回転工具Ｔが装着可能な後端部２２を有する筒状の本体２３と、該本体２３内にスライド可能に挿入され、且つ本体２３後端からの押し込みによって前記本体２３の先端部２１を楔形に拡張可能なピン部材２４とからなる。
【００２９】
図６、図７は、上記アンカーの施工手順を示したもので、先ず、ダイヤモンドドリル３０の後端角軸３１に連結部材３２を介して回転工具Ｔを取付け、壁面等にアンカー挿入孔Ｈを形成する（図６（ａ）参照）。次に本アンカーの後端部２２側に角筒部材４０を取付け、その先端からアンカー挿入孔Ｈに挿入する（図６（ｂ）参照）。
【００３０】
ここで角筒部材４０は、ゴム４１ａと爪部材４１ｂからなるアンカー固定用部材４１と、前記爪部材４１ｂと係合する回転力伝達部材４２とから構成される。アンカー固定用部材４１は本アンカーをアンカー挿入孔Ｈに一定長挿入した位置で固定するためのものであり、また回転力伝達部材４２は本体２３の後端部２２と螺合して後述する押し込み量調整部材５０を介して回転工具Ｔの回転力を本アンカーに伝達するものである。なお、４１ｃは爪部材４１ｂと回転力伝達部材４２の間に介在して、回転力伝達部材４２の回転を円滑に行うために設けられたベアリングである。
【００３１】
次に、角筒部材４０に押し込み量調整部材５０を取付け、さらに該押し込み量調整部材５０に予め回転工具Ｔに取付けられた前記連結部材３２をネジ止め５１によって固定し、結果、本アンカーに対して回転工具Ｔを連結部材３２、角筒部材４０および押し込み量調整部材５０を介して取付ける（図６（ｃ）参照）。
【００３２】
ここで押し込み量調整部材５０は、角筒部材４０に外嵌して回転部材Ｔの回転力を本アンカーに伝達する機能の他、角筒部材４０に対するスライド位置によってピン部材２４の本体２３に対する押し込み量を調整する機能を兼備する。その具体的構成は、図８に示したように、外側にネジ止め５１を設けた内空の有底外嵌体５２の底板５３にピン部材２４後端に設けたストッパ２５の挿通穴５４を設け、さらに前記外嵌体５２の底板５３側にピン部材２４を挟持可能に開閉する固定板５５を設けたものである。
【００３３】
而して、本アンカーに全ての部材３２・４０・５０並びに回転工具Ｔの取付けが完了したなら、回転工具Ｔを回転駆動させながら、壁面等側へと押し込む。このとき、当初本体２３の後端から突出していたピン部材２４は回転工具Ｔの押し込みにより、そのストッパ２５が連結部材３２に押されて、本体２３内部へと押し込まれ、このことにより本体２３の先端部２１を拡張させる。そして、拡張した先端部２１が回転工具Ｔからの伝達回転力によって回転して、研磨層２０等によりアンカー挿入孔Ｈの奥側に拡張先端部２１に見合った形状の拡径孔Ｈ２を形成する（図７（ａ）参照）。
【００３４】
なお、このとき回転工具Ｔの押し込み量が大き過ぎると本体先端部２１の拡張が過度となり、これが過負荷となって回転工具Ｔが不用意に停止する場合がある。しかしながら、本実施形態では押し込み量調整部材５０を角筒部材４０に対してスライド可能に外嵌しており、回転工具Ｔの進退と連動して押し込み量調整部材５０のスライド位置を決定し、且つ、ピン部材２４もこれに連動するように構成している。このため、回転工具Ｔを適宜引けば、これに連動してピン部材２４も引っ張り出され、本体２３の先端部２１拡張が緩和されるから、過負荷による回転工具の回転が停止するという不都合も回避することができる。
【００３５】
そして、上述した要領で、本アンカーの先端部拡張と拡径孔Ｈ２の形成が完了したなら、本アンカーから角筒部材４０、押し込み量調整部材５０、連結部材３２および観点工具Ｔを取り外し（図７（ｂ）参照）、その後端部２２にアンカーナットＮを介して仮設足場の壁繋ぎ６０を取付けて、一連の施工を完了する（図７（ｃ）参照）。
【００３６】
一方、本工事終了後、本アンカーを撤去する場合は、図９に示したように、引き抜き部材７０を用いてピン部材２４の引き抜き作業を行う。該引き抜き部材７０は本体２３の後端部２２に螺合するナット体７１にピン部材２４の後端に設けたストッパ２５との係合部材７２を設けたものである。そして、該係合部材７２をストッパ２５に係合した状態でナット体７１を回転させれば、ピン部材２４を本体２３から引き抜くことができ（図１０（ａ）参照）、この状態で本アンカーをアンカー挿入孔Ｈに打ち込めば、ピン部材２４による拡張が解除されているため、先端部２１を閉じた状態でアンカー挿入孔Ｈに完全に埋設させることができ（図１０（ｂ）参照）、その後、通法に従って穴埋め処理やコーキングによる仕上げ施工を行うことができる（図１１（ｃ）参照）。
【００３７】
ただし、ここに説明したインサート式の本アンカーの撤去方法はこれに限らず、ピン部材２４を引き抜いたの後、適宜方法で本アンカーをアンカー挿入孔Ｈから引き抜き、これを再度使用することも可能である。また、インサート式の本アンカーは、拡径孔Ｈ２の形成後、ピン部材２４の引き抜きによって先端部２１の拡張が解除され、本体２３の完全撤去が可能であるため、拡径孔Ｈ２の形成用専用工具としても利用することが可能である。
【００３８】
図１１は本発明アンカーによる２穴アンカー構造を示したもので、タイルの目地への適用例を示してる。この実施形態では、本発明アンカー８０をタイルの目地に沿って２本横並びに埋設し、これらアンカー８０・８０を連結板材１００によって連結している。連結板材１００は左右にアンカー８０の後端を挿通する長孔１０１・１０１が形成され、中央に壁つなぎ用ナット１１０が設けられている。そしてアンカー８０・８０は前記長孔１０１・１０１から突出する後端雄ねじ部にアンカーナット８１・８１を螺合することによって、連結板材１００に固定されている。これによって、一の壁つなぎ用ボルト１２０を２本のアンカー８０・８０で支持することになるから、引張強度を高めることができる。なお、連結板材１００において、アンカー８０の後端挿通孔を長孔１０１としたのは、壁つなぎ用ナット１１０の位置を調整したり、アンカー８０の打ち込み位置に関する誤差を吸収するためである。
【００３９】
また図１２は、本発明アンカーによる４穴アンカー構造を示したもので、タイルの目地への適用は図１１と同じであるが、アンカー８０を十字の連結板材１３０によって連結したものである。その他、連結板材１３０に形成される長孔１３１や中央に壁つなぎ用ナット１３２などの構成および連結要領は図１１の場合と同じである。
【００４０】
ここに説明した２穴、４穴アンカー構造は、タイルの目地など、狭小なスペースにおいて１本のアンカーでは引張強度が不足する場合に有効な構成である。ただし、連結の数は、３穴であってもよいし、５穴以上であってもよい。
【００４１】
図１３は、本発明の別実施形態に係るアンカーを示したものである。該アンカーは、研磨層または研削刃を設けた先端部２００を有すると共に、ドリル等の回転工具が装着可能な後端部２０１を有する筒状の本体２０２からなることは、上述したアンカーと同様であるが、この実施形態に係るアンカーは、さらに前記回転工具による穿孔時に遠心力によって前記先端部２００を拡張可能としている。つまり、この実施形態のアンカーでは拡径部材やピン部材を省略しているが、本体２０２の素材や軸方向に形成したスリット２０３などの先端部２００構成、さらには回転工具の回転速度（遠心力）を適宜選択することによって、先端部２００を拡張可能としている。なお、該構成の本体２０２を上述したアンカーに適用することは、もちろん可能である。
【図面の簡単な説明】
【００４２】
【図１】本発明に係る楔形アンカーの埋設用工具の一実施形態を示した説明図
【図２】上記工具による施工手順を示した説明図
【図３】本発明に係るカット式の楔形アンカーの一実施形態およびその施工手順を示した説明図
【図４】同施工に用いるスペーサ（楔形アンカーの埋設用工具）の断面概略図
【図５】本発明に係るインサート式の楔形アンカーの一実施形態を示した説明図
【図６】同アンカーの施工手順を示した説明図
【図７】同じく上記インサート式の楔形アンカーの施工手順を示した説明図
【図８】上記施工に用いる押し込み量調整部材（楔形アンカーの埋設用工具）の詳細図
【図９】同アンカーに用いるピン部材の引き抜き部材を示した説明図
【図１０】同アンカーの撤去手順を示した説明図
【図１１】本発明アンカーによる２穴アンカー構図を示した説明図
【図１２】本発明アンカーによる４穴アンカー構造を示した説明図
【図１３】本発明アンカーの別の実施形態を示した説明図
【符号の説明】
【００４３】
１、１３、２３  アンカー本体
２、２４  ピン部材
３、１４  拡径部材
１ｂ、１０、２０  研磨層
１１、２１  本体の先端部
１２、２２  本体の後端部
４０  角筒部材
５０  押し込み量調整部材
Ｈ  アンカー挿入孔
Ｈ２  拡径孔
Ｔ  回転工具
Ｓ  スペーサ
【図１】
2005188139.tif 000003
【図２】
2005188139.tif 000004
【図３】
2005188139.tif 000005
【図４】
2005188139.tif 000006
【図５】
2005188139.tif 000007
【図６】
2005188139.tif 000008
【図７】
2005188139.tif 000009
【図８】
2005188139.tif 000010
【図９】
2005188139.tif 000011
【図１０】
2005188139.tif 000012
【図１１】
2005188139.tif 000013
【図１２】
2005188139.tif 000014
【図１３】
2005188139.tif 000015